(57)【特許請求の範囲】
【請求項１】
直方体状の人工ブロックであって、
一面に、当該面に隣接する面である第一隣接面から当該第一隣接面に向かい合う面である第二隣接面に渡る細く深い切り欠きが略平行に３以上形成され、
当該切り欠きは、前記一面に対し垂直に形成され、前記第一隣接面及び第二隣接面において、前記切り欠きは長手方向に関し、当該第一隣接面及び第二隣接面の３分の１乃至３分の２の長さを有するものである
人工ブロック。
【請求項２】
前記人工ブロックは焼成煉瓦もしくは日干し煉瓦である請求項１に記載の人工ブロック。
【発明の詳細な説明】
【技術分野】
【０００１】
本発明は、人工ブロックに関し、特に、積み上げる際に鉄筋等を通すことができるものに関する。
【背景技術】
【０００２】
レンガで塀を造る場合、地震などで倒壊しないように縦方向に鉄筋を入れることが行なわれる。このため、多くの場合は、穴の空いたレンガを使用するか、レンガを２列に並べて間に鉄筋を挟むようにすることが一般的であった。レンガを２列に並べる方法は、設置面積が倍以上になるので好ましい方法とはいえない。穴の空いたレンガを用いる方法は、鉄筋の上端からレンガを差し入れていく必要があるため、高い塀を積むような場合には、労力が大きい。
これに対して、下記特許文献１には、穴の空いたレンガの一端側に切れ目を設けることで、レンガの側部に空間を形成させることが示されている。このようにレンガの側部に空間を形成させると、鉄筋の側方からレンガを嵌めていくことができるので、作業性がよくなる。
【先行技術文献】
【特許文献】
【０００３】
【特許文献１】特開昭５１−８３０５号公報
【特許文献２】実開昭５９−１３６９３６号公報
【特許文献３】実開昭５５−１５０１１０号公報
【特許文献４】特開２０００−７３４７３号公報
【発明の概要】
【発明が解決しようとする課題】
【０００４】
このように必要に応じてブロックの一部を開放させるものとして、上記特許文献１の他に、特許文献２〜４に示すものが開示されているが、これらはいずれも薄肉部分を形成して、当該薄肉部分を破壊しやすいように切れ目や溝を入れるものである。このような方法を採る場合、特許文献１に記載の発明のようにブロック側部に空間を形成するためには、穴を形成することで薄肉部分を作り出す必要がある。
しかし、ブロックに穴を開けると、天端部に使用する場合など、穴が設けられる面が表れることが好ましくないところには使用しづらいという問題が生じる。
本発明は、このような問題に鑑みて、側方の一部を取り去ることで、側部に空間を形成できる人工ブロックにおいて、貫通した穴を設けないようにすることを課題とする。
【課題を解決するための手段】
【０００５】
上記課題を解決するために、本発明は次のような構成を有する。
請求項１に記載の発明は、直方体状の人工ブロックであって、一面に、当該面に隣接する面である第一隣接面から当該第一隣接面に対向する面である第二隣接面に渡る細く深い切り欠きが略平行に３以上形成され、当該切り欠きは、前記一面に対して垂直に形成されるものであって、前記第一隣接面及び第二隣接面において、前気切り欠きは長手方向に関し、当該第一隣接面及び第二隣接面の３分の１乃至３分の２の長さを有するものである人工ブロックである。なお、切り欠きの深さは少なくとも隣接する切り欠き同士の間隔の２倍以上あることが望ましい。
請求項２に記載の発明は、前記人工ブロックを焼成煉瓦もしくは日干し煉瓦としたものである。
【発明の効果】
【０００６】
以上のような構成により本発明は次のような効果を奏する。
請求項１に記載の発明は、切り欠きに挟まれる部分は板体となり板体の根元となる一端面のみが人口ブロックの他の部分と連結している状態となるので、衝撃を加えると根元近傍から折り取ることができる。このようにしてすべての板体を折り取ると、側部に空間ができるので、この部分に鉄筋等を通して、人口ブロックを積み上げることができる。また、通常の状態では細いスリット状の切り欠きが形成されているだけなので、人口ブロックに穴が開いている場合に比較して、天端部等に設置しても違和感なく使用することができる。
さらに、切り欠きを長く形成することで人口ブロックの中央近傍に鉄筋等を通すようにすることができる。
請求項２に記載の発明は、焼成煉瓦もしくは日干し煉瓦とすると加工が容易であり、比較的簡易にコの字状の空間を形成することができる。
【図面の簡単な説明】
【０００７】
【図１】本実施形態に係る人口ブロックの斜視図である。
【図２】本実施形態に係る人口ブロックを加工する状態を示す斜視図である。
【図３】本実施形態に係る人口ブロックの側部に空間を形成した状態を示す斜視図である。
【図４】側部に空間を形成した人口ブロックの使用状態を示す斜視図である。
【発明を実施するための形態】
【０００８】
以下、本発明の実施の形態について、図面を参照しながら説明する。
図１に本実施形態に係る人口ブロックＸの斜視図を示す。人口ブロックＸは直方体状の焼成レンガである。そして、最も面積の小さい面を基端とする細い切り欠き１０が互いに平行に３本形成されている。切り欠き１０は、幅約３ｍｍであり、最も面積の小さい面に垂直に、互いに対向する最も面積の広い両面に渡って形成される。また、切り欠き１０同士の間隔は等間隔であり、最も離れた切り欠き同士の間隔は５ｃｍに設定される。さらに、切り欠き１０の最も広い面における長さは当該面の長手方向の長さの約半分に設定される。なお、切り欠き１０は焼成前に形成してもよく、焼成後に形成してもよい。
【０００９】
以上のような構成を有する人口ブロックＸは、そのままの状態で一般的なレンガと同じように使用することができる。そして、中に鉄筋等を通す必要ができたときには、切り欠き１０同士の間に形成される板状部分を折り取ることで側方に空間を形成する。当該板状部分を折り取る際には、例えば図２に示すように、ロックハンマーや平たがねなどを、中央の切り欠き１０に叩きこむと、両側の板状部分は最も応力が集中する根元部分で折れることとなるので、これを取り去ればよい。図３に側方に直方体状の空間が形成された人口ブロックＸの斜視図を示す。
図３のように形成された人口ブロックＸは図４に示すように鉄筋Ｐなどを側方の空間に入れて、必要に応じてモルタルなどを充填することで鉄筋等を入れた状態で積み上げることができる。
このように本実施形態に係る人口ブロックは、細い切り欠きが形成されているだけなので通常の使用にもそのまま使用でき、必要に応じて容易に側方に接触する空間を形成することで、鉄筋や配管等を通すことができる。
【００１０】
なお、切り欠きの幅や長さや数は適宜変更することができる。また、上記実施形態では切り欠きは最も小さな面積を有する面のみの設けたが、他の面に設けてもよく、複数の面に設けてもよい。
【符号の説明】
【００１１】
Ｘ  人口ブロック
１０  切り欠き
【要約】
【課題】側方の一部を取り去ることで、側部に空間を形成できる人工ブロックにおいて、貫通した穴を設けないようにすることを課題とする。
【解決手段】直方体状の人工ブロックにおいて、少なくとも一面に一の幅方向に渡る細く深い切り欠きを略平行に３以上形成する。これにより、細い切り欠きが形成されているだけなので、通常の使用においても違和感がなく、切り欠きに挟まれた板状部分を折り取ることで、比較的容易に側部に空間を形成することができる。
【選択図】  図１【図１】
0005603478.tif 000002
【図２】
0005603478.tif 000003
【図３】
0005603478.tif 000004
【図４】
0005603478.tif 000005